(57)【要約】【課題】摺接により摩耗粉を発生する材料で形成された環状の芯体にテープを巻き付けて形成された巻きテープ体を、テープ支持具を使ってテープの引き出し操作をしても芯体から摩耗粉の発生のない巻きテープ体用のホルダを提供する。【解決手段】巻きテープ体用のホルダ１０は、第１嵌合部１２を備える第１保持部材１１と第２嵌合部２１を備える第２保持部材２０とから構成され、これらは巻きテープ体１の両側から第１及び第２嵌合部１２，２１を芯体２の中央孔４にそれぞれ挿入し、かつこれら各嵌合部１２，２１を連結することで巻きテープ体１に固定される。各嵌合部１２，２１の一端部１２ａ，２１ａからは径方向外方に鍔状の覆い部１４，２３がそれぞれ張り出しており、これら覆い部１４，２３は、ホルダ１０が巻きテープ体１に組み付けられた時に芯体２の環状側面２ａに密着してこれを覆い隠す。【選択図】図２
2009023742.tif 000002
【特許請求の範囲】
【請求項１】
中央孔を有する環状の芯体の外側周面にテープを巻き付けた巻きテープ体を保持する巻きテープ体用のホルダにおいて、
前記巻きテープ体を前記中央孔の開口面両側から挟む第１保持部材及び第２保持部材を含み、
前記両保持部材が、擦れにより摩耗粉の発生し難い材料で形成され、これら保持部材が、前記芯体の前記中央孔に挿入可能な第１及び第２嵌合部と、これら両嵌合部の一端部から前記開口面に沿う外方向に張り出した鍔状の覆い部とをそれぞれ備え、前記両保持部材における前記各嵌合部が、前記芯体の前記開口面両側から前記中央孔に挿入されるとき、前記中央孔内で相互に着脱可能に連結し、前記両保持部材の前記各覆い部が、前記芯体の側面全部に密着してこの側面を覆い隠すと共に、前記ホルダが、前記両嵌合部の連結力により前記芯体を前記両側面から挟んで前記巻きテープ体に固着されることを特徴とする巻きテープ体用のホルダ。
【請求項２】
前記芯体の前記中央孔は、その端面形状が円形を呈し、前記第１保持部材に設けられた前記第１嵌合部が、前記一端部とは反対側の他端部から内方に向かって形成された貫通孔を備えると共に、前記芯体の前記中央孔に緊密に内接して嵌合する筒状を呈し、
前記第２保持部材の前記第２嵌合部が、前記第１保持部材の前記第１嵌合部における前記他端部に形成された前記貫通孔に入り込む筒状を呈し、前記両保持部材における筒状の前記各嵌合部が、前記芯体の前記中央孔に前記開口面の両側から挿入されるとき、前記中央孔の内部で相互に入れ子状に結合する請求項１に記載の巻きテープ体用のホルダ。
【請求項３】
前記第１保持部材の前記第１嵌合部における前記貫通孔の内面に雌ネジ部が形成され、前記第２保持部材の前記第２嵌合部の外周面に、前記貫通孔の前記雌ネジ部に螺合可能な雄ネジ部が形成され、前記各嵌合部が、前記芯体の前記中央孔に前記開口面の両側から挿入されるとき、前記中央孔の内部で前記第１嵌合部の前記貫通孔に前記第２嵌合部が挿入され、前記各ネジ部の螺合により前記両嵌合部が着脱可能に連結される請求項２に記載の巻きテープ体用のホルダ。
【請求項４】
前記第１保持部材及び前記第２保持部材が、前記各覆い部の側面から前記開口面に沿う外方向に張り出した鍔状の側壁部を備え、該側壁部が、前記芯体に巻き付けられた巻きテープの側部に僅かな隙間をあけて隣接して、前記巻きテープそれ自体の少なくとも一部の側部を覆っている請求項１〜３のいずれかに記載の巻きテープ体用のホルダ。
【発明の詳細な説明】
【技術分野】
【０００１】
本発明は、巻きテープ体用のホルダに関し、更に詳細には、例えば、摺接により摩耗粉を発生しやすい紙製の筒状芯体に巻き取られてなる巻きテープ体を保持するホルダに関する。
【背景技術】
【０００２】
セロハンテープ、ビニルテープ、或いは布テープなどに代表される各種の巻きテープは、中央孔を有する環状の芯体の外側周面に所定幅のテープを何十にも巻き付けて形成されている。一般に、この種の巻きテープでは、ボール紙を筒状に形成した芯体が使用されている。このような巻きテープ体の最も一般的な使用方法は、巻きテープにおける芯体の中央孔に使用者の手の指を複数本入れるようにしてこれを軽く握り、これら指を支え軸にして巻きテープを回転させながら該巻きテープからテープを引き出していた。また、このような巻きテープは、巻きテープ支持具やテープカッターなどに装着して使用されることもあるが、このような巻きテープ支持具としては、特許文献１に開示された発明が知られている。
【特許文献１】特開平６−２３９５１７号公報
【発明の開示】
【発明が解決しようとする課題】
【０００３】
しかし、特許文献１に開示された粘着テープ供給器は、巻きテープを支持軸で回転可能に支持し、この粘着テープ供給器を机などの固定位置に置いて使用するものであるため、巻きテープを持ち運んで使用するには非常に不便であった。そのため、巻きテープをテープ供給器などに装着して使用するのではなく、直接手で持って使用する場合が多い。ところで、前述したように巻きテープの芯体中央孔に使用者の手の指を複数本入れて軽く握りながら巻きテープを回転させてテープを引き出すと、手の指や手の掌と芯体とが擦れて芯体から摩耗粉が飛散することがあった。
【０００４】
そのため、例えば、半導体製造工場、或いは食品の製造工場や加工工場などのクリーンルームでは巻きテープの芯体中央孔に使用者の手の指を入れるように巻きテープを直接手で持った状態でテープの繰り出しを行うことはできないので、巻きテープから必要長さのテープを引き出す作業が非常に非能率であった。
【０００５】
本発明の目的は、かかる従来の問題点を解決するためになされたもので、中央孔を有し、かつ摺接により摩耗粉を発生する材料で形成された環状の芯体にテープを巻き付けて形成された巻きテープ体を、芯体の中央孔に手の指を複数本入れるようにして持ちながらテープの引き出し操作をしても芯体から摩耗粉の発生がない巻きテープ体用のホルダを提供することにある。
【課題を解決するための手段】
【０００６】
本発明は、中央孔を有する環状の芯体の外側周面にテープを巻き付けた巻きテープ体を保持する巻きテープ体用のホルダであり、その特徴とするところは、前記巻きテープ体を前記中央孔の開口面両側から挟む第１保持部材及び第２保持部材を含み、前記両保持部材が、擦れにより摩耗粉の発生し難い材料で形成され、これら保持部材が、前記芯体の前記中央孔に挿入可能な第１及び第２嵌合部と、これら両嵌合部の一端部から前記開口面に沿う外方向に張り出した鍔状の覆い部とをそれぞれ備え、前記両保持部材における前記各嵌合部が、前記芯体の前記開口面両側から前記中央孔に挿入されるとき、前記中央孔内で相互に着脱可能に連結し、前記両保持部材の前記各覆い部が、前記芯体の側面全部に密着してこの側面を覆い隠すと共に、前記ホルダが、前記両嵌合部の連結力により前記芯体を前記両側面から挟んで前記巻きテープ体に固着されることにある。
【０００７】
本発明に係る巻きテープ体用のホルダの一実施形態では、前記芯体の前記中央孔は、その端面形状が円形を呈し、前記第１保持部材に設けられた前記第１嵌合部が、前記一端部とは反対側の他端部から内方に向かって形成された貫通孔を備えると共に、前記芯体の前記中央孔に緊密に内接して嵌合する筒状を呈し、前記第２保持部材の前記第２嵌合部が、前記第１保持部材の前記第１嵌合部における前記他端部に形成された前記貫通孔に入り込む筒状を呈し、前記両保持部材における筒状の前記各嵌合部が、前記芯体の前記中央孔に前記開口面の両側から挿入されるとき、前記中央孔の内部で相互に入れ子状に結合している。
【０００８】
本発明に係る巻きテープ体用のホルダの他の実施形態では、前記第１保持部材の前記第１嵌合部における前記貫通孔の内面に雌ネジ部が形成され、前記第２保持部材の前記第２嵌合部の外周面に、前記貫通孔の前記雌ネジ部に螺合可能な雄ネジ部が形成され、前記各嵌合部が、前記芯体の前記中央孔に前記開口面の両側から挿入されるとき、前記中央孔の内部で前記第１嵌合部の前記貫通孔に前記第２嵌合部が挿入され、前記各ネジ部の螺合により前記両嵌合部が着脱可能に連結されている。
【０００９】
本発明に係る巻きテープ体用のホルダのさらに他の一実施形態では、前記第１保持部材及び前記第２保持部材が、前記各覆い部の側面から前記開口面に沿う外方向に張り出した鍔状の側壁部を備え、該側壁部が、前記芯体に巻き付けられた巻きテープの側部に僅かな隙間をあけて隣接して、前記巻きテープそれ自体の少なくとも一部の側部を覆っている。
【発明の効果】
【００１０】
本発明に係る巻きテープ体用のホルダによれば、第１保持部材の第１嵌合部と第２保持部材の第２嵌合部とを巻きテープ体の両側から芯体の中央孔に挿入し、鍔状の覆い部が芯体の環状側面に密着した状態で両嵌合部どうしを結合して巻きテープ体を挟むように取り付けることから、巻きテープ体の芯体における環状側面や内周面は、覆い部と嵌合部とで完全に隠されることになる。そのため、巻きテープ体を使用者の手で如何なる状態で持ったとしても芯体の環状側面や内周面に手の指や掌が直接接触することがない。その結果、芯体が擦れにより摩耗粉を出し易い材料で形成されていたとしても、従来と同じように巻きテープ体を手で持ちながら巻きテープ体を回転させてテープを繰り出しても芯体から摩耗粉の発生がないので巻きテープ体をクリーンルームなどでも使用することができる。
【００１１】
また、本発明に係る巻きテープ体用のホルダによれば、筒状の第１嵌合部が芯体の中央孔に緊密に内接して嵌合し、第２嵌合部が第１嵌合部の貫通孔に入れ子状に入り込んで連結することから、幅寸法の異なる種々の巻きテープ体に取り付けることができる。
【００１２】
また、本発明に係る巻きテープ体用のホルダによれば、第１保持部材の第１嵌合部と第２保持部材の第２嵌合部とが入れ子式に入り込んで結合させる手段としてネジによる螺合としているので、第１保持部材と第２保持部材のいずれか一方又は両方を回転させるだけで両者の結合を図ることができ、巻きテープ体への取り付けを非常に容易にできる。
【００１３】
さらに、本発明に係る巻きテープ体用のホルダによれば、かかるホルダにおいて各覆い部の外側面から前記開口面に沿う外方向に張り出した鍔状の側壁部を備えているので、芯体に巻き付けられているテープを保護することができる。
【発明を実施するための最良の形態】
【００１４】
以下、本発明に係る巻きテープ体用のホルダを、その好適な実施形態について示す添付図面を参照しながら更に詳細に説明する。図１は、本発明の第１実施形態に係る巻きテープ体用のホルダ（以下、単に、ホルダと称する）１０を示す正面図、図２は、ホルダ１０を巻きテープ体１に取り付ける状態を示す斜視図、図３は、ホルダ１０を巻きテープ体１に取り付けた状態を示す斜視図である。ホルダ１０の構造を説明する前に、巻きテープ体１について簡単に説明すると、巻きテープ体１は、擦れなどにより摩耗粉が発生し易いボール紙などから形成された円筒状の芯体２の周面に、この芯体２と同じ幅のテープ３を何十にも巻き付けて形成されている。
【００１５】
このような巻きテープ体１に取り付けるホルダ１０は、擦れなどにより摩耗粉が発生し難い例えば合成樹脂などから作られた第１保持部材１１と第２保持部材２０とから構成されている。第１保持部材１１は、円筒状の第１嵌合部１２を備えている。この第１嵌合部１２は、一端部１２ａ及び他端部１２ｂともに開放されており、従って第１嵌合部１２には、貫通孔が中央に形成されている。この貫通孔の内周面には雌ネジ部１３が形成されている。第１嵌合部１２の一端部１２ａからは、その径方向外方（円筒状の第１嵌合部１２の中心軸線６に直交する方向）へ鍔状の覆い部１４（図４を参照）が張り出している。この鍔状の覆い部１４の外側面に沿って更に径方向外方へ鍔状の側壁部１５が張り出している。従って、鍔状の覆い部１４は、図４から明らかなように、側壁部１５の内面側、即ち第１嵌合部１２の中心軸線６が延びる方向に沿って該嵌合部１２の他端部１２ｂへ向いた面から第１嵌合部１２の中心軸線６に沿う方向へ突出している。
【００１６】
他方、第２保持部材２０も第１保持部材１１と同様に、円筒状の第２嵌合部２１を備えている。この第２嵌合部２１についても、一端部２１ａ及び他端部２１ｂが共に開放されており、従って第２嵌合部２１には、貫通孔２５が中央に形成されていることになる。この第２嵌合部２１の外周面には前述した第１保持部材１１の第１嵌合１２における貫通孔の内周面に形成された雌ネジ部１３に螺合し得る雄ネジ部２２が形成されている。
【００１７】
また、第２嵌合部２１の一端部２１ａからは、その径方向外方（円筒状の第２嵌合部２１の中心軸線６に直交する方向）へ鍔状の覆い部２３（図４を参照）が張り出している。この鍔状の覆い部２３は、第１嵌合部１２の一端部１２ａから径方向外方に張り出した鍔状の覆い部１４と同じ外径で形成されている。さらに、この鍔状の覆い部２３の外側面に沿って鍔状の側壁部２４が径方向外方へ張り出している。従って、鍔状の覆い部２３もまた、図４から明らかなように、側壁部２４の内面側、即ち第２嵌合部２１の中心軸線６が延びる方向に沿って該嵌合部２１の他端部２１ｂへ向いた面から第２嵌合部２１の中心軸線６に沿う方向へ突出している。
【００１８】
上述したように構成されるホルダ１０は、第１保持部材１１と第２保持部材２０とを巻きテープ体１の両側、即ち芯体２における中央孔４の各開口側から挟むようにして組み立てられる。具体的には、図２に示されるように第１保持部材１１は、その第１嵌合部１２を巻きテープ体１における芯体２の中央孔４内に挿入しつつ巻きテープ体１の一方の側に取り付けられる。その際、第１嵌合部１２を芯体２の中央孔４に緊密に嵌合させるためには、第１嵌合部１２が、巻きテープ体１における芯体２の内径にほぼ等しい外径で形成されていることが好ましい。また、第１嵌合部１２は、その軸方向長さが、巻きテープ体１の幅寸法とほぼ同じかそれより短く形成されている。
【００１９】
第１嵌合部１２を巻きテープ体１における芯体２の中央孔４に押し込んでゆくと、第１保持部材１１における鍔状の覆い部１４が芯体２における一方の環状側面２ａに密着し、その時点で第１嵌合部１２の芯体２における中央孔４への挿入は停止する。環状の覆い部１４は、その直径が巻きテープ体１における芯体２の直径にほぼ等しく形成されているので、上述したように第１保持部材１１が巻きテープ体１の片側に取り付けられたときには、環状の覆い部１４が芯体２の一方の環状側面２ａすべてを覆い隠すことになると共に、芯体２の外周面を越えて径方向外方へ張り出すこともない。
【００２０】
次に、巻きテープ体１における他方の側から同じように第２嵌合部２１を巻きテープ体１における芯体２の中央孔４に挿入して第２保持部材２０を巻きテープ体１に取り付ける。その際、第２嵌合部２１は、既に巻きテープ体１における一方の側に取り付けられた第１保持部材１１の第１嵌合部１２における中央の貫通孔内に入り、その内周面に形成された雌ネジ部１３と第２嵌合部２１の外周面に形成されている雄ネジ部２２とが噛み合う。その後は、第２保持部材２０を第１保持部材１１に対して回転させながら第１嵌合部１２に第２嵌合部２１を螺合させる。
【００２１】
第２嵌合部２１が第１嵌合部１２に螺合されて行くと、第２保持部材２０における鍔状の覆い部２３が巻きテープ体１における芯体２の他方の環状側面２ａに密着し、その時点で第２嵌合部２１の第１嵌合部１２への螺合が停止する。第２嵌合部２１の一端部２１ａから径方向外方へ張り出した鍔状の覆い部２３も、その直径が巻きテープ体１における芯体２の直径にほぼ等しいので、上述したように第２保持部材２０が巻きテープ体１の片側に取り付けられたときには、環状の覆い部２３が芯体２の他方の環状側面２ａすべてを覆い隠すことになると共に、芯体２の外周面を越えて径方向外方へ張り出すこともない。
【００２２】
このようにして、巻きテープ体１は、芯体２の中央孔４における各開口側に取り付けられた第１保持部材１１及び第２保持部材２０における鍔状の覆い部１４，２３が巻きテープ体１における芯体２の各開口側の環状側面２ａに密着して該芯体２を挟み込み、巻きテープ体１にしっかり固定される。鍔状の各覆い部１４，２３の外側面に沿って径方向外方へ延びるそれぞれ鍔状の側壁部１５，２４は、各覆い部１４，２３の厚み分だけテープ３の側縁から離れているのでテープ３に接触することはなく、そのためテープ３の繰り出しには何らの支障も生じない。なお、これら側壁部１５，２４は、未使用時の巻きテープ体１において芯体２に巻かれているテープ３の最外周側縁まで到達している。
【００２３】
図１〜図４に示される本発明の第１実施形態では、各側壁部１５，２４が、前述したように未使用時の巻きテープ体１において芯体２に巻かれている最外周側のテープ３側縁まで各覆い部１４，２３から径方向外方へ鍔状に張り出しているが、この発明では、各側壁部１５，２４の径方向外方への張り出し長さは、重要ではない。図５及び図６には、第１実施形態に係るホルダ１０とは異なる側壁部３１，３２を備える第２実施形態に係る巻きテープ体用のホルダ３０が示されている。
【００２４】
第２実施形態のホルダ３０を示す図５及び図６において、図１〜図４に示される第１実施形態のホルダ１０と同一又は相当する構成部分には同一の参照符号を付けてその説明を省略する。このホルダ３０では、第１保持部材１１と第２保持部材２０の環状の各覆い部１４，２３の外側面に沿って径方向外方へ延びるそれぞれ鍔状の側壁部３１，３２は、未使用時の巻きテープ体１において芯体２に巻かれているテープ３の少なくとも一部の側部を覆う直径で形成されている。なお、本発明のホルダでは、この側壁部はかならずしも必要ではないので省略することもできる。
【００２５】
さらに、図１〜図６に示される本発明の各実施形態では、既に説明したように第２保持部材２０の第２嵌合部２１が筒状を呈しており、従ってその内側にはこの嵌合部２１を貫通する孔（貫通孔）２５が形成されていた。このように第２嵌合部２１が両端部開放の筒状体であることから、その内側に貫通孔２５が形成されていると、巻きテープ体１に組み付けられて相互に連結された第１、第２嵌合部１２，２１の貫通孔に使用者の手の指を通すことで、ホルダ１０を取り付けた巻きテープ体１を容易に回転可能に持つことができる。しかし、第２嵌合部２１の他端部２１ｂを閉塞した場合であっても、巻きテープ体１に組み付けられて相互に連結された第１嵌合部１２の一端部１２ａ側に形成される凹部に手の親指を入れ、また第２嵌合部２１の一端部２１ａ側に形成される凹部に手の人差し指、中指、薬指などを入れるようにしても巻きテープ体１を回転可能に持つことができる。
【００２６】
また、前述した各実施形態では、ホルダ１０，３０を巻きテープ体１に組み付ける際、第１保持部材１１と第２保持部材２０とは、円筒状の第１嵌合部１２の貫通孔に円筒状の第２嵌合部２１を挿入させてそれぞれの内面と外面に形成されている雌ネジ部１３と雄ネジ部２２との螺合により連結される構造であった。このように第１嵌合部１２と第２嵌合部２１との連結手段をネジ部による螺合により行うようにすれば、この巻きテープ体用のホルダを、第１嵌合部１２と第２嵌合部２１とが螺合可能な範囲内で、幅寸法の異なる巻きテープ体にも使用することができると共に第１保持部材１１と第２保持部材２０との連結がいずれか一方又は両方を回転させるだけであるので連結操作を容易に行うことができる。しかし、本発明の巻きテープ体用のホルダでは、前記各嵌合部が円筒状である必要はなく、従って第１、第２嵌合部１２、２１どうしの連結も螺合手段による場合に限定されるものではなく、公知のあらゆる着脱可能な連結手段を用いることができる。
【００２７】
上述したように、本発明の巻きテープ体用のホルダによれば、該ホルダが、巻きテープ体１の両側から第１保持部材１１と第２保持部材２０とを、それぞれの嵌合部１２，２１を芯体２の中央孔４に差し込んで連結することで、各嵌合部１２，２１の一端部１２ａ，２１ａから径方向外方へ鍔状に張り出した覆い部１４，２３を芯体２の環状側面２ａに密着させた状態でホルダを巻きテープ体１に固定できるので、ホルダ１０，３０を取り付けた巻きテープ体１を手で持ってテープ３を引き出しても巻きテープ体１はホルダ１０，３０と一体に回転すると共に芯体２の両環状側面２ａと内周面とがホルダ１０，３０の覆い部１４，２３と嵌合部１２，２１の外周面とで覆われて使用者の手の指や掌に接触することがないので、芯体２が擦れてそこから摩耗粉が飛散することはない。その結果、巻きテープ体１にこの発明のホルダ１０，３０を取り付けて使用する限り、巻きテープ体１から塵埃の発生はなく、クリーンルームで使用しても清浄度を低下させることがない。
【図面の簡単な説明】
【００２８】
【図１】本発明の第１実施形態に係る巻きテープ体用のホルダを示す正面図である。
【図２】図１に示されるホルダを巻きテープ体に取り付ける状態を示す斜視図である。
【図３】図１に示されるホルダを巻きテープ体に取り付けた状態を示す斜視図である。
【図４】図３に示されるホルダを４−４線で切断し、中心線より上半分を示す断面図である。
【図５】本発明の第２実施形態に係る巻きテープ体用のホルダを示す斜視図である。
【図６】図５に示されるホルダを６−６線で切断し、中心線より上半分を示す断面図である。
【符号の説明】
【００２９】
１    巻きテープ体
２    環状の芯体
２ａ    芯体の環状側面
３    テープ
４    芯体の中央孔
１０    巻きテープ体用のホルダ
１１    第１保持部材
１２    第１嵌合部
１２ａ    第１嵌合部の一端部
１２ｂ    第１嵌合部の他端部
１３    雌ネジ部
１４    鍔状の覆い部
１５    側壁部
２０    第２保持部材
２１    第２嵌合部
２１ａ    第２嵌合部の一端部
２１ｂ    第２嵌合部の他端部
２２    雄ネジ部
２３    鍔状の覆い部
２４    側壁部
２５    第２嵌合部の貫通孔
【図１】
2009023742.tif 000003
【図２】
2009023742.tif 000004
【図３】
2009023742.tif 000005
【図４】
2009023742.tif 000006
【図５】
2009023742.tif 000007
【図６】
2009023742.tif 000008